【事件の表示】
　特願２００２−１０７９８１「抽選システム及び景品管理端末装置」拒絶査定不服審判事件〔平成１５年１０月２１日出願公開、特開２００３−２９９８６７〕について、次のとおり審決する。
【結　論】
　本件審判の請求は、成り立たない。
【理　由】
第一．手続の経緯
　本願は、平成１４年４月１０日の出願であって、拒絶理由通知に対応して平成２０年９月１０日に手続補正書が提出され、その後なされた拒絶査定に対し、同年１１月２０日に拒絶査定不服審判が請求されるとともに、同年１２月１２日に手続補正がなされたものである。
　また、当審において、平成２１年１０月２日付けで審査官による前置報告書の内容を添付して審尋を行ったが、請求人からの回答書提出はなかった。
　
第二．平成２０年１２月１２日付けの手続補正についての補正却下の決定
［補正却下の決定の結論］
　平成２０年１２月１２日付けの手続補正を却下する。
　
［理由］
１．補正後の本願発明
　本件補正により補正された補正後の特許請求の範囲の請求項１に記載された発明（以下「本願補正発明」という。）は次のとおりである。
「　処理手段と、会員が使用する会員側端末とを通信手段を介して接続し、上記処理手段は、会員特定情報と、その会員の既獲得ポイントを記憶するポイント記憶手段を有する一方、上記会員側端末からのアクセスがあったとき、ポイント記憶手段の情報から、その会員側端末から送信された上記会員特定情報に対応する既獲得ポイントを特定し
て
抽選参加資格がないと判断したときには、抽選不可画面情報を表示させ、
機能と抽選に参加するための参加信号を受け付ける機能とを併せ持った
るとともに
（下線部は補正によって変更又は追加された箇所。）
　
２．補正要件（目的）の検討
　請求項１についての補正は、発明を特定するために必要な事項である「抽選伺い画面」について「抽選参加資格がないと判断したときには、抽選不可画面情報を表示させ」及び「機能と抽選に参加するための参加信号を受け付ける機能とを併せ持った」を新たに付加する補正である。
　してみると、当該補正は、抽選伺い画面について限定を付加するものであるから特許請求の範囲の減縮を目的とする補正に相当する。
　したがって、本件補正は、平成１８年法律第５５号による改正前の特許法（以下「改正前特許法」という。）第１７条の２第４項第２号に該当する。
　
３．補正要件（独立特許要件：特許法第２９条第２項）の検討
（１）引用刊行物記載事項
　原査定の拒絶の理由に引用された、特開平１０−５２５６４号公報（以下「引用文献」という。）には、以下の事項が記載されている。
【００１８】【発明の実施の形態】以下にこの発明の実施の形態を図面に基づいて詳細に説明する。先ず第１の実施形態を図１〜図１９を用いて説明する。図１は遊技店内の情報処理システムの構成を概略的に示す図である。図において、ネットワーク回線４には、島設備３…、玉計数装置５、景品交換装置６、景品抽選装置７、カード発行装置８および情報処理装置９が接続してあり、これらにより遊技店の情報処理システムが構築されている。
【００２４】情報処理装置９は、カード発行装置８からの情報に基づいて、図３に示すような貯玉カードファイルＦを作成する。この貯玉カードファイルＦは、暗証番号、貯玉カードＮｏ．（カード番号）、貯玉数（貯玉情報）、使用日付、住所・氏名、発行日、使用端末、および抽選記録の各欄から構成されている。なお、作成当初は、貯玉情報は「０」であり、使用日付、抽選記録は空欄となる。
【００５７】次に、上記景品抽選装置７のＣＰＵ７６１によって行われる制御の手順を図１０〜図１４を用いて詳細に説明する。・・・
【００６４】ステップＳ１０では、入力された暗証番号と、カードＣから読み込んだカード情報（カード番号、貯玉情報）とを情報処理装置９に送信し、次のステップＳ１１に進む。このとき、情報処理装置９では、後述するように、暗証番号とカード情報とを受信し、貯玉カードファイルＦから、受信したカード番号と同一のものを検索し、貯玉カードファイルＦの当該カード番号に対応する暗証番号および貯玉情報が、受信した暗証番号および貯玉情報に一致するかどうかを判別し、一致したとき、カードＣの確認（認証）が取れたとして「確認ＯＫ（カード正常）」情報を、当該貯玉カードファイルＦの貯玉情報等とともに、景品抽選装置７に送信する。一致しないときは「確認不可（カード異常）」を景品抽選装置７に送信する。
【００６５】ステップＳ１１では、情報処理装置９から「確認ＯＫ」を受信したか否かを判別し、「確認ＯＫ」の受信であれば次のステップＳ２１に進み、「確認不可」の受信であればステップＳ１４に分岐する。なお、この「確認ＯＫ」「確認不可」を受信するまでは、表示装置７２には、「確認中」（図７（Ｃ））の画面を表示する。そして、「確認ＯＫ」であれば、上記したように、抽選券発行・抽選確認の選択画面（図７（Ｄ））に切り替える。
【００６６】ステップＳ１４では、カードＣに異常があるとしてカードＣを排出し、ステップＳ５に戻って、次のカードＣが挿入されるのを待機する。ステップＳ２１では、抽選券発行・抽選確認の選択画面（図７（Ｄ））において、どちらが選択（タッチ入力）されたかの判別を行い、「抽選券発行」の選択であれば次のステップＳ２２に進み、「抽選確認」の選択であればステップＳ２８に分岐する。
【００６７】ステップＳ２２では、抽選券発行確認情報を情報処理装置９に送信し、次のステップＳ２３に進む。情報処理装置９では、抽選券発行確認情報を受信すると、カードＣに対応する貯玉カードファイルＦの貯玉情報と抽選記録とに基づいて、抽選券発行サービスの提供を受ける権利を有する貯玉の有無を確認し、その確認結果を景品抽選装置７に送信する。
【００６８】ステップＳ２３では、情報処理装置９からの確認結果を判別し、「ＯＫ」であれば次のステップＳ２４に進み、そうでなければステップＳ２７に分岐する。
【００６９】ステップＳ２４では、抽選券発行サービスの提供を受ける権利を有する貯玉に関し、所定貯玉数毎に抽選番号を付与し、その抽選番号を刻印した抽選券Ｔ１の発行を抽選券発行装置７４に指令し、次のステップＳ２５に進む。これにより、ストッカー７５にストックされている抽選券Ｔ１が抽選券発行口７４ａから発行される。
【００７２】一方、ステップＳ２７では、すでに抽選券発行サービスの提供を受けているため、抽選券が発行されない旨のメッセージを画面表示し、上記のステップＳ２６に進む。これにより、抽選券を発行せずにカードＣが遊技者に返却される。
【００７３】また、ステップＳ２８では、遊技者が「抽選確認」を選択しているので、抽選確認処理サブルーチン（図１３）を実行し、この抽選確認処理の完了後はステップＳ５に戻り、次のカードＣが挿入されるまで待機する。
【００７４】図１３は抽選確認処理サブルーチンを示すフローチャートである。この抽選確認処理サブルーチンは、遊技者が持っている抽選券の当否判定を行い、遊技者に知らせるためのものであり、先ずステップＳ３１において、情報処理装置９から送信されてきた、情報処理装置９側で乱数を用いて決定した当選番号の受取処理を行い、次のステップＳ３２に進む。
【００７５】ステップＳ３２では、遊技者が表示装置７２の指示画面（図９（Ａ））に従って抽選券読取口７３ａに挿入した抽選券Ｔ１の抽選番号を読み取る抽選券読取処理を行い、次のステップＳ３３に進む。
【００７６】ステップＳ３３では、読み取った抽選番号と当選番号とを照合して、抽選番号が当選か否かの判定を行い、当選であればステップＳ３４に、ハズレであればステップＳ３８にそれぞれ進む。
【００７７】ステップＳ３４では、表示装置７２の画面に図９（Ｂ）に示すような当たり表示を行い、ステップＳ３８では、表示装置７２の画面に図９（Ｃ）に示すようなハズレ表示を行い、その後次のステップＳ３５にそれぞれ進む。
　
　摘記した上記の記載や図面等によれば、引用文献には以下の発明（以下「引用発明」という。）が記載されている。
　なお、引用文献の記載では「貯玉数」と「貯玉情報」の語が混在しているので、以下では、統一して「貯玉数」を用いることとする。
「　情報処理装置９と、景品抽選装置７がネットワーク回線４に接続してあり、
　上記情報処理装置９は、暗証番号、カード番号、貯玉数、使用日付、住所・氏名、発行日、使用端末、および抽選記録の各欄から構成されている貯玉カードファイルＦを作成する一方、上記景品抽選装置７から暗証番号とカード番号、貯玉数とを受信し、
　上記貯玉カードファイルＦの当該カード番号に対応する暗証番号および貯玉数が、受信した暗証番号および貯玉数に一致するかどうかを判別し、一致したとき、抽選券発行・抽選確認の選択画面に切り替え、
　該選択画面において抽選券発行がタッチ入力されれば、上記貯玉カードファイルＦの貯玉数と抽選記録とに基づいて、抽選券発行サービスの提供を受ける権利を有する貯玉の有無を確認し、その確認結果を上記景品抽選装置７に送信し、「ＯＫ」でなければ上記景品抽選装置７は抽選券が発行されない旨のメッセージを画面表示し、「ＯＫ」であれば上記景品抽選装置７は所定貯玉数毎に抽選番号を付与し、その抽選番号を刻印した抽選券Ｔ１が抽選券発行口７４ａから発行され、
　上記選択画面において抽選確認がタッチ入力されれば、上記景品抽選装置７は、遊技者が挿入した抽選券Ｔ１の抽選番号を読み取る抽選券読取処理を行い、読み取った抽選番号と当選番号とを照合して、抽選番号が当選か否かの判定を行い、当選であれば当たり表示を行い、ハズレであればハズレ表示を行う遊技店の情報処理システム。」
　
（２）引用発明と本願補正発明との対比
　引用発明の「情報処理装置９」は、本願補正発明の「処理手段」に相当し、以下同様に、
「景品抽選装置７」は「会員が使用する会員側端末」に、
「暗証番号」、「カード番号」及び「住所・氏名」は「会員特定情報」に、
「貯玉数」は「その会員の既獲得ポイント」に、
「上記貯玉カードファイルＦの貯玉数と抽選記録とに基づいて」は「上記既獲得ポイントに応じた」に、
「抽選券発行サービスの提供を受ける権利を有する貯玉の有無」は「抽選参加資格の有無」に、
「確認し」は「判断し」に、
「抽選確認がタッチ入力されれば」は「参加信号が入力されたとき」に、
「当選であれば当たり表示を行い、ハズレであればハズレ表示を行う」は「抽選結果を上記会員側端末へ表示させる」に、各々相当する。
　さらに、引用文献の記載等からみて、以下のことが言える。
　
ａ．複数の装置がネットワーク回線に接続してあるということは、それらの装置を通信手段を介して接続してあるということにほかならないから、引用発明の「情報処理装置９と、景品抽選装置７がネットワーク回線４に接続してあり」は、本願補正発明の「処理手段と、会員が使用する会員側端末とを通信手段を介して接続し」に相当するといえる。
　
ｂ．引用発明の「貯玉カードファイルＦ」は、本願補正発明の「会員特定情報」及び「その会員の既獲得ポイント」に相当する番号等や貯玉数の欄から構成され、「貯玉カードファイルＦを作成する」ということは、それらの情報を記憶させることにほかならないから、引用発明の「情報処理装置９」は、本願補正発明の「会員特定情報と、その会員の既獲得ポイントを記憶するポイント記憶手段」に相当する構成を有するものといえる。
　
ｃ．引用発明の「当該カード番号」は景品抽選装置７から受信したものであるから、景品抽選装置７から送信されたカード番号と言い換えることができ、本願補正発明の「会員側端末から送信された上記会員特定情報」に相当するものといえる。
　そして、引用発明の「情報処理装置９」は、貯玉カードファイルＦの当該カード番号に対応する暗証番号および貯玉数が、受信した暗証番号および貯玉数に一致するかどうかを判別し、一致したとき、その「貯玉数」等に基づいて抽選券発行サービスの提供を受ける権利を有する貯玉の有無を確認しているから、景品抽選装置７から送信されたカード番号に対応する貯玉数を特定しているということができる。
　また、引用発明において「上記景品抽選装置７から暗証番号とカード番号、貯玉数とを受信」したとき、及び「抽選券発行・抽選確認の選択画面において抽選券発行がタッチ入力」されたときは、摘記した段落【００６４】【００６６】及び【００６７】の記載等からみて、いずれも景品抽選装置７から情報処理装置９へのアクセスがあったときであるということができる。
　よって、引用発明は、本願補正発明の「上記会員側端末からのアクセスがあったとき、ポイント記憶手段の情報から、その会員側端末から送信された上記会員特定情報に対応する既獲得ポイントを特定して、上記既獲得ポイントに応じた抽選参加資格の有無を判断し」に相当する機能を有しているといえる。
　
ｄ．引用発明において、抽選券発行サービスの提供を受ける権利を有する貯玉の有無を確認した結果が「ＯＫ」でないということは、本願補正発明の「抽選参加資格がないと判断した」ということに相当し、引用発明において、情報処理装置９が「ＯＫ」でないという確認結果を景品抽選装置７に送信し、その景品抽選装置７が抽選券が発行されない旨のメッセージを画面表示することは、情報処理装置９が景品抽選装置７に抽選券が発行されない旨のメッセージを画面表示させていると言い換えることができるから、引用発明の「情報処理装置９」は、本願補正発明の「抽選参加資格がないと判断したときには、抽選不可画面情報を表示させ」に相当する機能を有しているといえる。
　
ｅ．引用発明において、抽選券発行サービスの提供を受ける権利を有する貯玉の有無を確認した結果が「ＯＫ」であるということは、本願補正発明の「抽選参加資格が有ると判断した」ということに相当する。
　また、引用発明において、景品抽選装置７が所定貯玉数毎に抽選番号を付与し、その抽選番号を刻印した抽選券Ｔ１が抽選券発行口７４ａから発行されるということと、本願補正発明において「会員側端末に抽選参加資格を得たことを知らせる機能と抽選に参加するための参加信号を受け付ける機能とを併せ持った抽選伺い画面を表示させる」ということとは、“会員側端末に抽選参加資格を得たことを知らせる機能を備える”点では共通している。
　よって、引用発明と本願補正発明とは、“抽選参加資格が有ると判断したとき、上記会員側端末に抽選参加資格を得たことを知らせる機能を備える”点では共通しているといえる。
　
ｆ．引用発明の「抽選券発行・抽選確認の選択画面において」と、本願補正発明の「抽選伺い画面を介して」は、“抽選選択画面を介して”という点では共通している。
　また、引用発明において「遊技者が挿入した抽選券Ｔ１の抽選番号を読み取る抽選券読取処理を行い、読み取った抽選番号と当選番号とを照合して、抽選番号が当選か否かの判定を行」うことは、本願補正発明において「抽選を実行する」ことに相当するといえる。
　よって、引用発明と本願補正発明とは、“抽選選択画面を介して参加信号が入力されたとき、抽選を実行し、抽選結果を上記会員側端末へ表示させる機能を備えた”点では共通しているといえる。
　
ｇ．引用発明の「情報処理システム」は、本願補正発明と同様の抽選処理を行っているから、実質的には本願補正発明の「抽選システム」に相当するものといえる。
　
　以上を総合すると、両者は、
「　処理手段と、会員が使用する会員側端末とを通信手段を介して接続し、上記処理手段は、会員特定情報と、その会員の既獲得ポイントを記憶するポイント記憶手段を有する一方、上記会員側端末からのアクセスがあったとき、ポイント記憶手段の情報から、その会員側端末から送信された上記会員特定情報に対応する既獲得ポイントを特定して、上記既獲得ポイントに応じた抽選参加資格の有無を判断し、抽選参加資格がないと判断したときには、抽選不可画面情報を表示させ、抽選参加資格が有ると判断したとき、上記会員側端末に抽選参加資格を得たことを知らせる機能を備え、抽選選択画面を介して参加信号が入力されたとき、抽選を実行し、抽選結果を上記会員側端末へ表示させる抽選システム。」
の点で一致し、以下の点で相違している。
　
［相違点１］“抽選選択画面”に関して、本願補正発明は「抽選参加資格が有ると判断したとき、上記会員側端末に抽選参加資格を得たことを知らせる機能と抽選に参加するための参加信号を受け付ける機能とを併せ持った抽選伺い画面を表示させる」のに対し、引用発明は、「カード番号に対応する暗証番号および貯玉数が、受信した暗証番号および貯玉数に一致するかどうかを判別し、一致したとき、抽選券発行・抽選確認の選択画面に切り替え」るものであって、本願補正発明の「抽選参加資格が有ると判断したとき」に相当する「抽選券発行サービスの提供を受ける権利を有する貯玉の有無を確認した結果が「ＯＫ」であるとき」においては、抽選番号を刻印した抽選券Ｔ１が抽選券発行口７４ａから発行される点。
　
［相違点２］本願補正発明は、「処理手段」が「抽選を実行し、抽選結果を上記会員側端末へ表示させる機能を備え」ているのに対し、引用発明は「景品抽選装置７」が、本願補正発明の「抽選を実行し、抽選結果を上記会員側端末へ表示させる」に相当する機能を備えている点。
　
（３）相違点の検討及び判断
［相違点１について］
　抽選参加資格が有ると判断したとき、会員側端末に抽選参加資格を得たことを知らせる機能と抽選に参加するための参加信号を受け付ける機能とを併せ持った画面を表示させることは、例えば、特開２００２−４９８１８号公報（特に、段落【００２３】、図５及び図６(ａ)）、特開平１１−３２８５４１号公報（特に、段落【００２１】及び図５(Ｂ)）及び特開平１０−１３７４２８号公報（特に、段落【００４０】及び図６）に示されるように、従来抽選システムの分野において周知の技術（以下「周知技術１」という。）であるから、引用発明の「抽選券発行サービスの提供を受ける権利を有する貯玉の有無を確認した結果が「ＯＫ」であるとき」において、景品抽選装置７に抽選参加資格を得たことを知らせる機能と抽選に参加するための参加信号を受け付ける機能とを併せ持った画面を表示させるようにして、上記相違点１に係る本願補正発明のような構成とすることは、当業者が容易に想到し得る。
　
［相違点２について］
　上位の処理装置が抽選を実行し、抽選結果を下位の端末へ表示させることは、例えば、特開平１１−１６９５４４号公報（特に、段落【０００８】及び図５）及び特開平１０−１３７４２８号公報（特に、段落【００４２】、【００４３】及び図６）に示されるように、従来抽選システムの分野において周知の技術（以下「周知技術２」という。）であるから、引用発明において、「景品抽選装置７」が「遊技者が挿入した抽選券Ｔ１の抽選番号を読み取る抽選券読取処理を行い、読み取った抽選番号と当選番号とを照合して、抽選番号が当選か否かの判定を行い、当選であれば当たり表示を行い、ハズレであればハズレ表示を行う」のに代えて、「情報処理装置９」が抽選を実行し、抽選結果を景品抽選装置７へ表示させるようにして、上記相違点２に係る本願補正発明のような構成とすることは、当業者が容易に想到し得る。
　
（４）まとめ
　以上のように相違点１及び２は、いずれも当業者が容易に想到し得るものであり、本願補正発明の作用効果も、引用発明及び周知技術１、２に基いて当業者が予測できる範囲のものである。
　よって、本願補正発明は、引用発明及び周知技術１、２に基いて、当業者が容易に発明をすることができたものであるから、特許法第２９条第２項の規定により特許出願の際独立して特許を受けることができないものである。
　
４．むすび
　したがって、本件補正は、改正前特許法第１７条の２第５項において準用する同法第１２６条第５項の規定に違反するので、同法第１５９条第１項において読み替えて準用する同法第５３条第１項の規定により却下されるべきものである。
　
第三．本願発明について
１．本願発明
　平成２０年１２月１２日付けの手続補正は上記のとおり却下されたので、本願の請求項１に係る発明（以下「本願発明」という。）は、平成２０年９月１０日付け手続補正書の特許請求の範囲の請求項１に記載された事項により特定される、以下のとおりのものである。
「　処理手段と、会員が使用する会員側端末とを通信手段を介して接続し、上記処理手段は、会員特定情報と、その会員の既獲得ポイントを記憶するポイント記憶手段を有する一方、上記会員側端末からのアクセスがあったとき、ポイント記憶手段の情報から、その会員側端末から送信された上記会員特定情報に対応する既獲得ポイントを特定し、上記既獲得ポイントに応じた抽選参加資格の有無を判断し、抽選参加資格が有ると判断したとき、上記会員側端末に抽選参加資格を得たことを知らせる抽選伺い画面を表示させ、この抽選伺い画面を介して参加信号が入力されたとき、抽選を実行し、抽選結果を上記会員側端末へ表示させる機能を備えた抽選システム。」
　
２．特許法第２９条第２項の検討
（１）引用文献に記載された事項
　原査定の拒絶の理由に引用された引用文献及びその記載事項は、前記「第二．３．（１）」に記載したとおりである。
　
（２）引用発明と本願発明との対比及び判断
　本願発明は、実質的には前記「第二」で検討した本願補正発明から「抽選伺い画面」の限定事項である、「抽選参加資格がないと判断したときには、抽選不可画面情報を表示させ」及び「機能と抽選に参加するための参加信号を受け付ける機能とを併せ持った」との構成を省いたものといえる。
　そうすると、本願発明の構成要件を全て含み、さらに他の構成要件を付加したものに相当する本願補正発明が、前記「第二．３．（４）」に記載したとおり、引用発明及び周知技術１、２に基いて、当業者が容易に発明をすることができたものであるから、本願発明も、同様の理由により、引用発明及び周知技術１、２に基いて、当業者が容易に発明をすることができたものである。
　
（３）まとめ
　以上のとおり、本願発明は、引用発明及び周知技術１、２に基いて、当業者が容易に発明をすることができたものであるから、特許法第２９条第２項の規定により特許を受けることができない。
　
第四．むすび
　本願発明は、特許法第２９条第２項の規定により特許を受けることができないから、本願の他の請求項（請求項２）について検討するまでもなく、本願は拒絶すべきものである。
　よって、結論のとおり審決する。